(57)【特許請求の範囲】
【請求項１】
２つの筒体を射出成型によって形成し、一方の筒体に４本の脚部を形成すると共に、他方の筒体にそれら４本の脚部の各々が嵌合する溝部を各々形成し、それら４本の脚部と溝部を嵌合することによって前記２つの筒体を連結し軸筒を構成すると共に、その連結された状態において前記２つの筒体に形成されたパーティングラインの位置を４５度異ならしめた軸筒の連結構造。
【請求項２】
前記軸筒に筆記体を出没可能に収容し、その筆記体の後方にはスライダーを配置すると共に、前記２つの筒体からなる軸筒の一方の筒体には、前記スライダーが摺動するスリットを形成した請求項１記載の筆記具。
【請求項３】
前記スリットを金型部品の１部であるコアピンによって形成した請求項２に記載の筆記具。
【発明の詳細な説明】
【技術分野】
【０００１】
本発明は、軸筒に複数のリフィールが出没可能に配置され、そのリフィールの後方にスライダーが配置された筆記具であって、そのスライダーを押圧前進させることによって前記リフィールの先端を軸筒の突出孔から突出させる筆記具に関するものであり、前記リフィールの一例としては、ボールペンやシャープペンシルユニット、スタイラスペンなどが挙げられる。
【背景技術】
【０００２】
一例として、軸本体に黒色と赤色の２色からなるボールペンが摺動自在に配置されている多芯筆記具がある。前記軸本体は、前軸と後軸とから構成されており、それらは凹凸嵌合などの手段によって連結されている。また、前記前軸は、中軸と先部材とから構成されており、それらは螺合などの手段によって着脱自在に連結されている。その先部材は、先端側へ向かって徐々に径が小さくなる先細り形状をなしていると共に、先端部には前記ボールペンの筆記部が突出する突出孔が形成されている。
【先行技術文献】
【特許文献】
【０００３】
【特許文献１】特開２００９−２８６０１８号
【発明の開示】
【発明が解決しようとする課題】
【０００４】
一般的に、前記後軸や中軸、先部材は、製造コストの安価な射出成型によって成形されている。そして、その射出成型には、製品の長手方向における中央部から２分割された金型を使用して成形されている。製品を成形する金型を２分割することによって、成形後における製品の金型からの取り出しを容易なものとしているのである。
しかし、金型が２分割しているため、成形された製品の表面には、各々の金型の合わせ部に沿って筋状の凸部、所謂、パーティングラインも形成されてしまう。
そして、成形された後軸と中軸、或いは、先部材を組み付けた際には、各々に形成されているパーティングラインが同一直線状になってしまい、その結果、多少の外力によってお互いのパーティングラインの端部に応力が集中してしまい、そのパーティングラインの端部からクラックが発生してしまうことがあった。
【課題を解決するための手段】
【０００５】
そこで、本発明は、２つの筒体を射出成型によって形成し、一方の筒体に４本の脚部を形成すると共に、他方の筒体にそれら４本の脚部の各々が嵌合する溝部を各々形成し、それら４本の脚部と溝部を嵌合することによって前記２つの筒体を連結し軸筒を構成すると共に、その連結された状態において前記２つの筒体に形成されたパーティングラインの位置を４５度異ならしめたことを要旨とする。
【発明の効果】
【０００６】
本発明は、２つの筒体を射出成型によって形成し、一方の筒体に４本の脚部を形成すると共に、他方の筒体にそれら４本の脚部の各々が嵌合する溝部を各々形成し、それら４本の脚部と溝部を嵌合することによって前記２つの筒体を連結し軸筒を構成すると共に、その連結された状態において前記２つの筒体に形成されたパーティングラインの位置を４５度異ならしめたので、応力集中部の位置が分散され、クラックの発生を極力防止することができる。
【図面の簡単な説明】
【０００７】
【図１】実施例１を示す外観正面図。
【図２】図１の上面図。
【図３】図１の縦断面図。
【図４】先部材の正面図。
【図５】図４の縦断面図。
【図６】後軸の横断面図。
【図７】中軸の側面図。
【図８】図７の縦断面図。
【図９】後軸の正面図。
【図１０】図９の縦断面図
【図１１】従来の技術を示す外観正面図。
【図１２】図１１の頭冠のスリット縁部を示す要部外観図。
【図１３】中軸の正面図。
【図１４】中軸の横断面図。
【図１５】スライダーの正面図。
【図１６】スライダーの側面図。
【図１７】作動時の断面図。
【図１８】図１７のＡ−Ａ線断面図。
【図１９】図１８の要部拡大図。
【図２０】実施例２を示す外観正面図。
【図２１】実施例２の後軸正面図。
【図２２】実施例２の前軸正面図。
【発明を実施するための形態】
【０００８】
作用について説明する。後軸のパーティングラインに対し、中軸のパーティングラインを４５°ずらし筆記具の軸筒を構成することでパーティングライン上の応力集中箇所を減らし、クラックの発生を抑制する。
１例を図１〜図１０、図１３〜図１７に示し説明する。黒色と赤色、青色、緑色の４色からなるボールペン（リフィール）１４が摺動自在に配置されている多芯筆記具である。ボールペン１４ばかりではなく、シャープペンシルユニットを適宜組み合わせても良い。前記ボールペン１４は、インキ収容筒１４ａとそのインキ収容筒１４ａの先端に圧入・固定されたボールペンチップ１４ｂ、並びに、前記インキ収容筒１４ａに収容されたインキ１４ｃから構成されている。
参照符号１は、円筒状の軸本体であり、その軸本体１は、前軸２と後軸３とより構成されている。また、本例において、前軸２は、先部材４と中軸６の螺合構造により構成されているが、一体的に形成されていても良い。しかし、ボールペンの交換や成形の容易性を考慮すると２部材とし、着脱自在に固定した方が良い。また、前記先部材４の内径部には、先端側へ向かって徐々に径が小さくなる円錐部４ａが形成されている。そして、その先部材４の先端には、ボールペンの筆記部が出没する突出孔４ｂが形成されている。
さらに、前記先部材４は不透明な材質から構成されているが、中軸６と後軸３は、着色半透明な材質から構成されている。ボールペンをスライダーに対して着脱する際、即ち、ボールペンを交換する際、その着脱部の視認性が良好なものとなり、容易に着脱作業を行うことができるようになる。また、中軸６や後軸３は、円筒状であるが故に、その曲面のレンズ作用により、前記の着脱部が拡大・大径化され、さらに容易に着脱作業を行うことができるようになる。
【０００９】
前記後軸３には、クリップ部３ａが一体で形成してあり、前記後軸３の長手方向に４個のスリット７が形成されている。本例においては、４個のスリット７が形成されているが、リフィールであるボールペンの数が４本であるためであり、このボールペンの本数によってスリットの形成する数も変わるものである。また、スリット７は、後軸３の一方の端部まで形成されていると共に、スリット７の両側には、摺動溝８が形成されている。しかし、この摺動溝８は、スリット７の両側の全長に渡って形成されているのではなく、中間部までしか形成されていない（図１０参照）。従来、このスリット７に相当するスリット７０１の形成は後軸３０１の後端部側から、軸芯に対して平行に動作する金型部品により形成される。そのため、スリット７０１の上部には製品構造上に不必要な窪み７０１ａが形成されてしまい、後軸３０１の側面や頭冠部の外観デザインを損ねてしまう。また、この問題を考慮し金型のキャビティーに凸部を設けることによりスリット７０１を形成する手法も用いられるが、この場合、スリット７０１の縁には金型構造上アンダーカットにならない様、４５°以上の面取り７０１ｂが必要となり、これもまたデザインを損なうとともに、前記縁部の面取り７０１ｂによってクリップ部の根元部の寸法が狭められてしまう（図１１、図１２参照）。本例ではクリップ部３ａを後軸３と一体で形成するとともにスリット７を後軸成形金型の内部のコアピンで一緒に形成している。これにより、頭冠部３ｂやスリット７の外観の良い成形品を得ることが可能となる。また、前記中軸６には中軸６の後端より一定距離をおいて４つの係合孔６ａが等間隔な位置の円周上に設けられている。この４つの係合孔６ａは、金型部品であるキャビティーの割り方向に凸部を各２つずつ形成することによって形成される。尚、ここで述べるキャビティーの割り方向とは軸芯に対して垂直方向に開閉する方向を意味し、このキャビティーの合わせ面により前記中軸６の表面には筋状のパーティングライン６ｂが形成されてしまう。それ故、前記係合孔６ａはパーティングライン６ｂ上には形成されない構成となっている。即ち、中軸６のパーティングライン６ｂは、隣り合う係合孔６ａの中央部に形成されている。
【００１０】  前記後軸３の前方には断面の形状が外側に円弧部を有する半月形をした脚部９が形成されている。この脚部９は、スリット７が形成されることにより形成される。よって、筆記体の数によって脚部９の数は変わる。その脚部９の外接円径は、後軸３の最大外径よりも小さく形成されている。さらに、前記脚部９にはその脚部９の表面から外側に向けて前記中軸６の係合孔６ａと当接し係合する係合突起９ａが形成されており、それら係合孔６ａと係合突起９ａの凹凸嵌合によって、中軸６と後軸３とが連結される。本例では前記嵌合突起９ａはクリップ部３ａの下に１つ形成され、その部分から軸芯を中心に９０°間隔で、計４つ形成されている。つまり、金型の割り方向に各１つずつ形成され、割り方向と９０°間隔で残りの２つの係合突起が形成されている。この金型の割りによって後軸３のパーティングライン３ｃが形成される。即ち、後軸３のパーティングライン３ｃは、クリップ３ａの中央部分、並びに、そのクリップ３ａの仮面に位置する脚部９の係合突起９ａの中央部分、更に、前記クリップ３ａとは反対側に位置する脚部９の係合突起９ａの中央部分に形成されている。その結果、前記中軸６と後軸３は各々のパーティングラインが４５°ずれた状態で固着される。それ故、応力の集中する凹凸嵌合の箇所には中軸のパーティングライン６ｂは無く、パーティングを起点としたクラックが起こり難くなっている。  前記先部材４の凹部１０には二色成形、或いは、多色成形と言った手段などで一体的に被覆されたゴム状弾性体からなるグリップ部５が形成されているが、各々を別部材で構成し、グリップ部５を先部材４に挿着しても良い。本例では先部材４を二色成形とし、二次側の成形品であるグリップ部５の表面には指紋パターン５ａを施していると共に、その指紋パターン５ａの範囲内に成形の際樹脂が流入するゲートが位置している。指紋パターン５ａにゲートを位置させることによって、そのゲート跡を外観上目立たなくすると共に、指先が触れても違和感のない構成となっている。さらに、一次側の成形品のゲートも指紋パターン５ａの範囲内に位置している。指紋パターン５ａに一次側の成形品のゲートを位置させることによって、同様にゲート跡を外観上目立たなくしている。
【００１１】  前記後軸３のスリット７には、摺動性に優れたポリアセタールなどからなる不透明な材質からなるスライダー１１が摺動自在に配置されている。このスライダー１１の長手方向の両側には、摺動突起１２が形成されており、前記スリット７に形成された摺動溝８に摺動可能に係合している。  このスライダー１１の背面には、間隔をおいて２つの解除突起１３が形成されており、スライダー１１の前端には長手方向に板状の突部１１ａが形成されている。その突部１１ａの先端には、ほぼ円盤状の膨出部１１ｂが形成されている。それら突部１１ａや膨出部１１ｂを板状、並びに、円盤状にすることによって、後述する筆記体を接続した際、空気の流通路が形成されるようになっている。つまり、本例のようにリフィールをボールペンとした場合、インキの消費に伴う筆記体（ボールペン）内部への空気の侵入を確実なものとしているのである。  そして、スライダー１１の突部１１ａ（膨出部１１ｂ）には、ボールペン１４のインキ収容筒１４ａの後方部が接続されている。ここで、前記スライダー１１は、前記ボールペン１４に使用されるインキ色と同じ色に着色された不透明な材質で形成されているが、透明、或いは、着色された半透明な材質で形成しても良い。スライダー１１の奥行き感が発生し、より一層、美観が向上する。  本例において、ボールペン１４のインキ収容筒１４ａは、透明、或いは、着色された半透明な材質から構成されているが、インキ収容筒１４ａの少なくとも前記スライダー１１との接続部が、透明、或いは、着色された半透明な材質から構成されていれば良い。筆記体１５を交換した際、筆記体１４とスライダー１１（膨出部１１ｂ）との接続状態を容易に確認することができる。
【００１２】
尚、前記スライダー１１の前端部には、後述する弾撥部材１５の後端部が当接する鍔部１１ｃが形成されている。その鍔部１１ｃの側面には、スライダー１１を形成するためのゲートが形成されている。ゲートを鍔部１１ｃの側面に位置することにより、ウェルドやジェッティングといった成形不良を防止している。即ち、ゲートから流入する樹脂の勢いを鍔部１１ｃの段差で緩和させ、均等に流入するようにしているのである。また、万が一、成形不良が発生してしまったとしても、鍔部１１ｃを中軸６の内側に位置させることによって、成形不良を外観に露出させない構成となっている。
参照符号１５は、ボールペン１４並びにボールペン１４に接続するスライダー１１を後方に付勢するコイルスプリングなどの弾撥部材である。尚、本例におけるリフィールは、前述のようにボールペン１４となっており、そのボールペン１４のインキ収容筒１４ａがスライダー１１の膨出部１１ｂに接続されている。具体的には、黒、赤、青、緑のインキが収納されたボールペン１４が接続されている。
【００１３】
前記前軸２の１部材である中軸６の中間部には、規制部１６が形成されており、その規制部１６には、ボールペン１４が遊挿する４つの貫通孔１７が形成されており、前記規制部１６に弾撥部材１５の一端を係止させることにより、ボールペン１４を後方に付勢している。
さらに、中軸６の内側で、規制部１６の後方には、長手方向に４つの溝部１８が形成されており、この溝部１８に前記後軸３の脚部９が摺接され、組み立て時に脚部９が案内されるようになっている。また、その溝部１８は、脚部９の断面形状とほぼ同形をなしている。即ち、外側に円弧部を有する半月形となっている。尚、前記中軸６の内部の中間部には前記４つの弾発部材１５を隔てる柱６ｃが形成されている。この柱６ｃにより隣り合った弾発部材１５が絡まり合わないよう分割しているのである。また、この柱６ｃの天面が中軸６を成形する際のゲート位置にもなっている。柱６ｃの天面をゲート位置にすることによって、そのゲート跡が外観に現れないと共に、肉厚部より樹脂が流入するため、充填不足やヒケ等の成形不良の発生を抑制している。
【００１４】
前記スライダー１１は筆記体の出没動作を行うための操作体である。スライダー１１を前進せしめることによって筆記体１４を先部材４の突出孔４ｂから突出させるが、その突出状態にある筆記体１４を没入する際には、他の筆記体１４のスライダー１１を前進せしめる。このスライダー１１の前進移動により、そのスライダー１１の前方突起部１３ｂが突出状態にある筆記体１４のスライダー１１の後方突起部１３ａと接触し、突出した状態にある筆記体１４のスライダー１１が外側方向に向けて押圧される。この押圧動作によって、スライダー１１の軸筒１に対する係合が解除されると共に、前記弾撥部材１５の復元力によって突出状態にある筆記体１４が軸筒１内へと没入する。この際、本実施例では解除するスライダー１１の前方解除突起１３ｂの面部１３ｃが、解除されるスライダー１１の後方解除突起１３ａの辺部１３ｄに接触する様構成されている。ちなみに、面部と面部を接触させた場合には、接触面積が多く、筆記体１４の先端の方向に向かう力が大きくなってしまう。しかし、本実施例では辺部と面部の接触であるため、その辺部と面部の接触により、スライダー１１を押圧した力が筆記体１４の先端方向へ向かう力と軸芯から外側に向かう力に分散されやすくなる。この力の分散によって、解除されるスライダー１１が若干前進させられると共に、軸芯から離れる方向へも力が作用するため、スライダー１１の軸筒１からの解除がよりスムーズに行われる。
【００１５】
上記実施例では複数の筆記体を内蔵した多芯筆記具を例示したが、筆記体が１つの筆記具であって、後軸にノック１９を取り付け、そのノック体１９を前後動可能に配置することによって突出孔よりペン先が突出する筆記具に、本構成を適応させても良い。
その一例として、後軸２０にクリップ部２０ａが一体形成されていると共に、使用時においては常に、そのクリップ２０ａが使用者の略正面に位置する様、もしくは、クリップが手に当たらない様に、前記前軸２１に把持方向を規制する把持方向規制突起２１ａを形成した筆記具が挙げられる。
具体的に説明すると、前記後軸２０にはクリップ２０ａが一体で形成されていると共に、等間隔な位置に係合突起２０ｂが形成されている。そして、その隣り合う係合突起２０ｂ間には、パーティングライン２０ｃが形成されている。
一方、前記前軸２１には、使用時にクリップ２０ａの向きが規制される様、後軸２０との組み付け時にクリップ部２０ａと４５°ずれた位置を基準に９０°間隔で４方向に把持の向きを規制する把持方向規制突起２１ａが形成されている。つまり、後軸２０を成形するキャビティーの割り方向に各一つずつ前記把持方向規制突起２１ａを成形する凹部を形成すると共に、その各凹部から９０°ずれた位置、即ち、パーティングライン２１ｃ上に各一つずつ前記把持方向規制突起２１ａを成形する凹部を形成する。
さらに前記後軸２０の係合突起２０ｂと略面一で凹凸嵌合する、前記前軸２１の係合孔２１ｂを成形すべく、キャビティーの割り方向に各二つずつ凸部を９０°間隔で形成する。
それ故、前記後軸２０と前軸２１を組み付けた際には、後軸パーティングライン２０ｃと前軸パーティングライン２１ｃが４５°ずれた状態で固着されると共に、本発明の効果が作用する。
【符号の説明】
【００１６】
１        軸本体
２        前軸
３        後軸
３ａ      クリップ部
３ｂ      頭冠部
３ｃ      後軸パーティングライン
３０１    後軸
４        先部材
４ａ      円錐部
４ｂ      突出孔
５        グリップ部
５ａ      指紋パターン
６        中軸
６ａ      係合孔
６ｂ      中軸パーティングライン
６ｃ      柱部
７        スリット
７０１ａ  窪み
７０１ｂ  面取り縁
８        摺動溝
９        脚部
９ａ      係合突起
１０      凹部
１１      スライダー
１１ａ    板状突部
１１ｂ    円盤状膨出部
１１ｃ    鍔部
１２      摺動突起
１３      解除突起
１３ａ    後方解除突起
１３ｂ    前方解除突起
１４      筆記体
１４ａ    インキ収容筒
１４ｂ    ボールペンチップ
１４ｃ    インキ
１５      弾撥部材
１６      規制部
１７      貫通孔
１８      溝部
【図１】
0005779944.tif 000002
【図２】
0005779944.tif 000003
【図３】
0005779944.tif 000004
【図４】
0005779944.tif 000005
【図５】
0005779944.tif 000006
【図６】
0005779944.tif 000007
【図７】
0005779944.tif 000008
【図８】
0005779944.tif 000009
【図９】
0005779944.tif 000010
【図１０】
0005779944.tif 000011
【図１１】
0005779944.tif 000012
【図１２】
0005779944.tif 000013
【図１３】
0005779944.tif 000014
【図１４】
0005779944.tif 000015
【図１５】
0005779944.tif 000016
【図１６】
0005779944.tif 000017
【図１７】
0005779944.tif 000018
【図１８】
0005779944.tif 000019
【図１９】
0005779944.tif 000020
【図２０】
0005779944.tif 000021
【図２１】
0005779944.tif 000022
【図２２】
0005779944.tif 000023